(57)【要約】【課題】  カラオケ利用者に何ら負担や手間をかけることなく、歌唱者の年齢や性別等の属性に好適に対応した背景映像や歌詞テロップを表示させる。【解決手段】  利用者により楽曲が選曲予約される操作タイミングを識別する選曲操作識別手段２２ｃと、この操作タイミングにてデジタルカメラ２２ｅにより撮像された利用者の顔画像データを取得する顔画像データ取得手段３６と、顔画像データに基づいて利用者の属性を判定する選曲者属性判定手段３７と、選曲予約楽曲の楽曲ＩＤと選曲予約者の属性データとを紐付けして管理する予約管理手段３８と、任意の楽曲の演奏時に、当該楽曲の楽曲ＩＤに紐付けされた利用者の属性に対応する背景映像データを表示させる背景映像表示制御手段４０ａと、当該楽曲の楽曲ＩＤに紐付けされた利用者の属性に対応する歌詞文字データを表示させる歌詞文字表示制御手段４０ｂと、を備える。【選択図】図１
2012118286.tif 000002
【特許請求の範囲】
【請求項１】
カラオケ楽曲の演奏に合わせて背景映像及び歌詞テロップを表示可能なカラオケシステムであって、
撮像手段と、選曲操作識別手段と、顔画像データ取得手段と、選曲者属性判定手段と、予約管理手段と、属性対応背景映像データベース及び背景映像表示制御手段、又は属性対応歌詞文字データベース及び歌詞文字表示制御手段の少なくとも一方と、を備え、
前記撮像手段は、選曲操作を行う利用者の顔画像を撮像し、
前記選曲操作識別手段は、利用者により楽曲が選曲予約される操作タイミングを識別し、
前記顔画像データ取得手段は、前記操作タイミングにて、前記撮像手段により撮像された利用者の顔画像データを取得し、
前記選曲者属性判定手段は、前記選曲予約を行った利用者の顔画像データと、所定の属性リファレンスデータとを比較して、当該利用者の属性を判定し、
前記予約管理手段は、前記選曲予約された楽曲の楽曲ＩＤと、当該判定された利用者の属性データとを紐付けして、予約待ち行列にて管理し、
前記属性対応背景映像データベースは、利用者の属性に対応した背景映像データを格納し、
前記属性対応歌詞文字データベースは、利用者の属性に対応した複数種類の歌詞文字データを楽曲別に格納し、
前記背景映像表示制御手段は、任意の楽曲が演奏される際に、前記属性対応背景映像データベースから、当該楽曲の楽曲ＩＤに紐付けされた利用者の属性に対応する背景映像データを取得して、当該楽曲の背景映像として表示させ、
前記歌詞文字表示制御手段は、任意の楽曲が演奏される際に、前記属性対応歌詞文字データベースから、当該楽曲の楽曲ＩＤに紐付けされた利用者の属性に対応する歌詞文字データを取得して、当該演奏楽曲の歌詞テロップとして表示させる、
ことを特徴とする利用者属性対応カラオケシステム。
【請求項２】
前記撮像手段と、前記選曲操作識別手段と、前記顔画像データ取得手段と、前記選曲者属性判定手段及び前記属性リファレンスデータとが、選曲予約操作を行うカラオケリモコン装置に設けられていることを特徴とする請求項１に記載の利用者属性対応カラオケシステム。
【発明の詳細な説明】
【技術分野】
【０００１】
本発明は、カラオケシステムに関するものであり、特に、利用者の年齢や性別等の属性に対応させて、背景映像や歌詞テロップの表示態様を変更できるようにしたものである。
【背景技術】
【０００２】
一般的に普及しているカラオケシステムは、カラオケ楽曲を演奏する際に、表示装置の表示画面に背景映像や歌詞テロップを表示することにより、歌唱の雰囲気を盛り上げると共に、歌唱のサポートを行うようになっている。
【０００３】
ところで、カラオケシステムが広く普及し、親睦や娯楽だけではなく、健康の維持増進を目的として歌唱を行う機会が増えてきたため、利用者の年齢や性別は多岐にわたるようになってきた。現在のカラオケシステムでは、利用者が可搬型の記録媒体に記録して持参した利用者映像を背景映像として表示できるものもあるが（例えば、特許文献１参照）、通常は、楽曲毎にデフォルト設定された背景映像を表示すると共に、演奏の進行に伴って歌詞テロップが表示される。
【０００４】
また、画像解析技術を用いて、デジタルカメラで撮像した画像に基づいて、撮像対象となった人物の年齢や性別を推定可能な技術が開示されており（例えば、特許文献２参照）、街頭や店内に設置された看板において、利用者の年齢や性別等に応じて適切な広告宣伝を行うためのデジタルサイネージに利用されるようになってきた。
【先行技術文献】
【特許文献】
【０００５】
【特許文献１】特開２００９−８９７７号公報
【特許文献２】特開２００８−２８２０８９号公報
【発明の概要】
【発明が解決しようとする課題】
【０００６】
しかしながら、従来のカラオケシステムの背景映像や歌詞テロップは、幅広い利用者層に対応できるように設計されてはいるものの、年齢や性別のような利用者の属性に個別に対応させるという配慮はなされていなかった。すなわち、同じ楽曲であっても、歌唱を行う利用者の年齢や性別によっては受ける印象が異なり、一律に背景映像や歌詞テロップを表示したのでは、幅広い利用者層に対応しているとは言い難い場合もあった。すなわち、カラオケ事業者の判断に基づいて、楽曲毎にふさわしい背景映像が設定されているが、歌唱者の年齢や性別によっては、歌唱の雰囲気が盛り上がらないことがある。
【０００７】
例えば、いわゆるナツメロに対して、その楽曲が流行した当時の風景を背景映像とした場合、実際その時代を知っている利用者にとっては懐かしい映像であり、歌唱の雰囲気が盛り上がったとしても、その時代を知らない若年層の利用者にとっては、背景映像を理解できずに、歌唱の雰囲気が盛り上がらない場合がある。
【０００８】
また、視力が低下した高齢者の場合には、デフォルト設定された大きさの歌詞文字では小さすぎて判読できずに、カラオケの楽しさを十分に味わうことができない場合もある。また、低年齢の子供が歌唱する場合には、歌詞文字に含まれる漢字を読むことができない場合もある。
【０００９】
本発明は、上述した事情に鑑み提案されたもので、老若男女を問わず、カラオケ利用者に何ら負担や手間をかけることなく、歌唱者の年齢や性別等の属性に好適に対応した背景映像や歌詞テロップを表示させることが可能な利用者属性対応カラオケシステムを提供することを目的とする。
【課題を解決するための手段】
【００１０】
本発明は、上述した目的を達成するため、以下の特徴点を有している。すなわち、本発明の利用者属性対応カラオケシステムは、カラオケ楽曲の演奏に合わせて背景映像及び歌詞テロップを表示可能なシステムであって、撮像手段と、選曲操作識別手段と、顔画像データ取得手段と、選曲者属性判定手段と、予約管理手段と、属性対応背景映像データベースと、属性対応歌詞文字データベースと、背景映像表示制御手段又は歌詞文字表示制御手段の少なくとも一方と、を備えたことを特徴とするものである。
【００１１】
撮像手段は、選曲操作を行う利用者の顔画像を撮像するための手段である。選曲操作識別手段は、利用者により楽曲が選曲予約される操作タイミングを識別するための手段である。顔画像データ取得手段は、利用者により楽曲が選曲予約される操作タイミングにて、撮像手段により撮像された利用者の顔画像データを取得するための手段である。選曲者属性判定手段は、選曲予約を行った利用者の顔画像データと、所定の属性リファレンスデータとを比較して、当該利用者の属性を判定するための手段である。予約管理手段は、選曲予約された楽曲の楽曲ＩＤと、当該判定された利用者の属性データとを紐付けして、予約待ち行列にて管理するためのデータベースである。
【００１２】
属性対応背景映像データベースは、利用者の属性に対応した背景映像データを格納するためのデータベースである。属性対応歌詞文字データベースは、利用者の属性に対応した複数種類の歌詞文字データを楽曲別に格納するためのデータベースである。
【００１３】
背景映像表示制御手段は、任意の楽曲が演奏される際に、属性対応背景映像データベースから、当該楽曲の楽曲ＩＤに紐付けされた利用者の属性に対応する背景映像データを取得して、当該楽曲の背景映像として表示させるための手段である。歌詞文字表示制御手段は、任意の楽曲が演奏される際に、属性対応歌詞文字データベースから、当該楽曲の楽曲ＩＤに紐付けされた利用者の属性に対応する歌詞文字データを取得して、当該演奏楽曲の歌詞テロップとして表示させるための手段である。
【００１４】
また、上述した構成からなる利用者属性対応カラオケシステムにおいて、撮像手段と、選曲操作識別手段と、顔画像データ取得手段と、選曲者属性判定手段及び属性リファレンスデータとを、選曲予約操作を行うカラオケリモコン装置に設けることが可能である。
【００１５】
このような構成からなる利用者属性対応カラオケシステムでは、例えば、カラオケリモコン装置に設けられた撮像手段の機能により利用者の顔画像を撮像する。すなわち、選曲操作識別手段の機能により、例えば、選曲操作において最終的に予約楽曲が１曲に絞られたタイミングを識別して、このタイミングにて、撮像手段により、カラオケリモコン装置に対峙している利用者の顔画像を撮像し、転送ボタンが操作されると、顔画像データ取得手段の機能により、カラオケリモコン装置に対峙している利用者の顔画像データを取得する。
【００１６】
また、選曲者属性判定手段の機能により、利用者の顔画像データに基づいて、利用者の年齢や性別等の属性を判定する。そして、予約管理手段の機能により、選曲された楽曲の楽曲ＩＤと、選曲予約を行った利用者の属性データとを紐付けして予約待ち行列を作成する。
【００１７】
利用者属性対応カラオケシステムでは、予約待ち行列に従って、楽曲が演奏される。この際、背景映像表示制御手段の機能により、当該楽曲の楽曲ＩＤに紐付けされた利用者の属性に対応する背景映像データを取得して表示させると共に、歌詞文字表示制御手段の機能により、当該楽曲の楽曲ＩＤに紐付けされた利用者の属性に対応する歌詞文字データを取得して表示させる。
【発明の効果】
【００１８】
本発明の利用者属性対応カラオケシステムでは、選曲予約を行った利用者の顔画像データを取得して、その年齢や性別等の属性を判定すると共に、予約楽曲の楽曲ＩＤと属性データとを紐付けして管理する。そして、任意の楽曲が演奏される際に、当該楽曲を選曲予約した歌唱者の属性データに好適に対応させて、背景映像や歌詞テロップを表示させるようになっている。
【００１９】
したがって、例えば、歌唱者が高齢者であれば、昔懐かしい街角風景を背景画像として表示し、歌唱者が若者であれば、現在話題となっている街角風景を背景映像として表示し、歌唱者が子供であれば、子供の間でヒーローとなっているキャラクタを表示することにより、歌唱の雰囲気を盛り上げることができる。
【００２０】
また、例えば、歌唱者が高齢者であれば、歌詞テロップの文字サイズを大きく表示し、歌唱者が子供であれば、難しい漢字を用いずに歌詞テロップを表示することにより、歌唱のサポートを行うことができる。
【００２１】
このように、本発明の利用者属性対応カラオケシステムによれば、通常行っている選曲予約操作を行うだけで自動的に顔画像認識を行うので、ＩＤカードに記憶された情報を読み取らせたり、利用者自らの手入力により情報を入力したりする等により、いちいち個人識別を行わせる必要がない。このため、老若男女を問わず、カラオケ利用者に何ら負担や手間をかけることなく、歌唱者の年齢や性別等の属性に好適に対応した背景映像や歌詞テロップを表示させることができるので、利用者は、カラオケシステムを用いた歌唱の楽しさを十分に味わうことが可能となる。
【図面の簡単な説明】
【００２２】
【図１】本発明の実施形態に係る利用者属性対応カラオケシステムの構成を示すブロック図。
【図２】属性対応背景映像データベースの構成を示す概念図。
【図３】属性対応歌詞文字データベースの構成を示す概念図。
【図４】予約待ち行列の構成を示す概念図。
【図５】カラオケリモコン装置の外観を示す斜視図。
【発明を実施するための形態】
【００２３】
以下、図面を参照して、本発明の利用者属性対応カラオケシステムの実施形態について説明する。図１〜図５は本発明の実施形態に係る利用者属性対応カラオケシステムを示すもので、図１は利用者属性対応カラオケシステムの構成を示すブロック図、図２は属性対応背景映像データベースの構成を示す概念図、図３は属性対応歌詞文字データベースの構成を示す概念図、図４は予約待ち行列の構成を示す概念図、図５はカラオケリモコン装置の外観を示す斜視図である。
【００２４】
＜システムの概要＞
本発明の実施形態に係る利用者属性対応カラオケシステム（以下、カラオケシステムと略記する）は、利用者の属性に対応させて、背景映像や歌詞テロップの表示態様を変更可能なシステムであり、例えば、カラオケリモコン装置に内蔵されたデジタルカメラを用いて選曲予約を行った利用者の顔画像を撮像し、画像認識技術により選曲予約を行った利用者の年齢や性別等の属性を判定する。そして、選曲予約された楽曲の楽曲ＩＤと選曲予約を行った利用者の属性データとを紐付けして予約待ち行列を作成し、予約待ち行列に従って楽曲の演奏を行う。その際、当該楽曲の選曲予約を行った利用者の属性に対応させて、好適な背景映像や歌詞テロップを表示することができるようになっている。
【００２５】
＜カラオケシステム＞
本発明の実施形態に係るカラオケシステム１０は、図１に示すように、カラオケ本体２１、カラオケリモコン装置２２、スピーカ２３、マイクロホン２４、表示装置２５、ミキシングアンプ２６を備えている。
【００２６】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、図１に示すように、楽曲検索手段２２ａとして機能するプログラム、楽曲索引データベース２２ｂ、選曲操作識別手段２２ｃとして機能するプログラム、入出力表示部２２ｄ、撮像手段として機能するデジタルカメラ２２ｅ、データの送受信を行うための電子回路及びプログラム、フラッシュメモリ等からなる記憶手段（図示せず）を備えている。このカラオケリモコン装置２２に付帯するスイッチ類や、入出力表示部２２ｄに表示される各種のアイコン等を操作することにより、選曲操作等が行われる。
【００２７】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２８】
＜デジタルカメラ＞
デジタルカメラ２２ｅは、図５に示すように、カラオケリモコン装置２２の表面に配設された撮像レンズ５１と、カラオケリモコン装置２２の内部に配設された撮像素子５２とを主要な構成要素としている。このデジタルカメラ２２ｅは、構造が単純で安価であるという点で、顔画像の撮像に必要最小限の機能を備えていればよいが、特に、カラオケリモコン装置２２が照度の低い室内で使用されることを考慮して、ＩＳＯ感度の高い撮像素子５２を搭載したものが好ましい。その他、オートフォーカス（ＡＦ）機能、自動露出（ＡＥ）機能、ズーム機能等を備えていてもよい。これらの機能を備えることにより、さらに高品質の撮像を行うことができる。デジタルカメラ２２ｅにより撮像された顔画像データは、カラオケリモコン装置２２の記憶手段（図示せず）に一時的に記憶され、所定のタイミングでカラオケ本体２１に送信される。なお、デジタルカメラ２２ｅは、カラオケリモコン装置２２に内蔵するのでははく、カラオケ本体２１に内蔵されていてもよい。
【００２９】
＜選曲操作識別手段＞
選曲操作識別手段２２ｃは、利用者により楽曲が選曲予約される操作タイミングを識別するためのプログラムからなる。すなわち、選曲操作識別手段２２ｃは、利用者がカラオケリモコン装置２２を用いて選曲予約を行う際に、そのタイミングを識別するものである。利用者が選曲予約を行う際には、カラオケリモコン装置２２の入出力表示部２２ｄを見ながら検索操作を行い、所望する楽曲を絞り込んでゆくが、その際には、利用者の顔がデジタルカメラ２２ｅの撮像レンズ５１に対峙することになる。そこで、例えば、選曲予約を行う楽曲を最終的に１曲に絞った時点を操作タイミングとして識別することにより、選曲予約を行った利用者の顔画像を確実に撮像することができる。なお、選曲操作識別手段２２ｃは、カラオケリモコン装置２２に内蔵するのでははく、カラオケ本体２１に内蔵されていてもよいし、カラオケ本体２１の付属機器とされていてもよい。
【００３０】
＜マイクロホン＞
マイクロホン２４は、歌唱音声の入力を行うための装置である。マイクロホン２４から入力された歌唱音声信号は、ミキシングアンプ２６により、音楽再生制御手段３９から送出される演奏音声信号とミキシングされると共に増幅され、スピーカ２３へ出力される。なお、マイクロホン２４からの音声入力信号を、Ａ／Ｄコンバータ（図示せず）によりデジタル変換して、採点等に使用してもよい。
【００３１】
＜表示装置＞
表示装置２５は、カラオケ楽曲に関連した背景映像や歌詞テロップ等を表示するための装置で、例えば、液晶ディスプレイ等により構成される。
【００３２】
＜カラオケ本体＞
カラオケ本体２１は、中央制御手段３１、ＲＯＭ３２、ＲＡＭ３３、ＨＤＤ３４、送受信手段３５、顔画像データ取得手段３６、選曲者属性判定手段３７、予約管理手段３８、音楽再生制御手段３９、映像再生制御手段４０を備えている。さらに、映像再生制御手段４０は、背景映像表示制御手段４０ａ及び歌詞文字表示制御手段４０ｂを含んでいる。また、ＨＤＤ３４には、楽曲データベース３４ａ、映像データベース３４ｂ、属性対応背景映像データベース３４ｃ、属性対応歌詞文字データベース３４ｄが格納されている。なお、本実施形態では、背景映像表示制御手段４０ａ及び属性対応背景映像データベース３４ｃと、歌詞文字表示制御手段４０ｂ及び属性対応歌詞文字データベース３４ｄとを備えているが、本発明は、背景映像表示制御手段４０ａ及び属性対応背景映像データベース３４ｃ、又は歌詞文字表示制御手段４０ｂ及び属性対応歌詞文字データベース３４ｄの少なくとも一方を備えていればよい。
【００３３】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮するようになっている。
【００３４】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ及び顔画像データ３３ｂが記憶されるようになっている。なお、予約待ち行列３３ａは、図４に示すように、選曲予約されたカラオケ楽曲について、演奏順に楽曲ＩＤ、属性データ、背景映像ＩＤ、歌詞文字ＩＤを並べて構成されたデータテーブルであり、選曲予約を行った利用者の利用者ＩＤ等、他の識別データが紐付けられている場合もある。なお、予約待ち行列３３ａは、楽曲ＩＤと、選曲予約を行った利用者の属性データのみを紐付けることにより構成し、背景映像ＩＤ及び歌詞文字ＩＤは、楽曲の演奏を行う際に参照してもよい。顔画像データ３３ｂは、デジタルカメラ２２ｅにより撮像し、顔画像データ取得手段３６の機能により取得した、選曲予約者に関するデータである。
【００３５】
＜ＨＤＤ＞
ＨＤＤ３４は、大容量記憶装置として機能するもので、楽曲データベース３４ａ、映像データベース３４ｂ、属性対応背景映像データベース３４ｃ、属性対応歌詞文字データベース３４ｄ、属性リファレンスデータ３４ｅが格納されている。なお、ＨＤＤ３４に替えて、あるいはＨＤＤ３４と共に、データを書き替え可能なＤＶＤ等の大容量記憶装置を用いてもよい。
【００３６】
＜楽曲データベース／映像データベース＞
楽曲データベース３４ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは、各楽曲の演奏を制御するためのデジタルデータであり、歌詞描出データは演奏に同期した歌詞文字の表示タイミングデータ及び色変わりデータを含んでいる。映像データベース３４ｂは、演奏されるカラオケ楽曲に対応してデフォルト表示される背景映像を、当該カラオケ楽曲の楽曲ＩＤに対応させた映像ファイルとして所定数格納したデータベースである。
【００３７】
＜属性対応背景映像データベース／属性対応歌詞文字データベース＞
属性対応背景映像データベース３４ｃは、利用者の属性に対応した背景映像データを格納したデータベースであり、例えば、図２に示すような構造を有している。また、属性対応歌詞文字データベース３４ｄは、利用者の属性に対応した複数種類の歌詞文字データを楽曲別に格納したデータベースであり、例えば、図３に示すような構造を有している。なお、図２及び図３に示す例では、年齢や性別を利用者の属性としているが、利用者の属性はこれらに限られず、例えば、顔の表情に特徴が現れる出身地や、アジア系、ヨーロッパ系、アフリカ系等の民族の種類であってもよい。また、年齢の区分の数は、図２及び図３に示すものに限られず、区分数を減らしてもよいし、区分数を増やしてもよい。なお、属性対応背景映像データベース３４ｃにおいて、背景映像ＩＤは楽曲毎にそれぞれ別個のものとする必要はなく、複数の楽曲において共通の背景映像ＩＤを用いるような構成としてもよい。
【００３８】
＜属性リファレンスデータ＞
属性リファレンスデータ３４ｅは、年齢、性別等に対応した顔画像データの特徴点をライブラリ化したデータベースであり、選曲者属性判定手段３７において、選曲予約を行った利用者の属性を判定する際に利用される。属性リファレンスデータ３４ｅは、例えば、目、眉、鼻、顎、口、耳等の器官の輪郭データと、各器官の間隔データ等からなる。属性リファレンスデータ３４ｅは、例えば、性別に関しては、男性又は女性に分類され、年齢に関しては、１０歳未満、１０歳〜３９歳、４０歳〜５９歳、６０歳以上に分類される。すなわち、男性と女性とでは、化粧の有無や骨格の相違等により、目や眉、あるいは肌の色等が異なるため、両者を区別することができる。また、加齢に伴い、口や目等の形状が変化し、あるいは目元や目尻に皺が生じ、さらにはシミ等が増加するため、年齢を判別することができる。
【００３９】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００４０】
＜顔画像データ取得手段＞
顔画像データ取得手段３６は、利用者により楽曲が選曲予約される操作タイミングにて、デジタルカメラ２２ｅにより撮像された利用者の顔画像データを取得するためのプログラムからなる。すなわち、利用者により楽曲が選曲予約される操作タイミングにて、デジタルカメラ２２ｅにより当該利用者の顔画像を撮像し、顔画像データ取得手段３６の機能により、撮像された顔画像データを取得して、選曲者属性判定手段３７における属性判定に利用する。なお、本実施形態では、顔画像データ取得手段３６がカラオケ本体２１に含まれているが、顔画像データ取得手段３６をカラオケリモコン装置２２に含ませてもよい。
【００４１】
＜選曲者属性判定手段＞
選曲者属性判定手段３７は、選曲予約を行った利用者の顔画像データと、所定の属性リファレンスデータ３４ｅとを比較して、当該利用者の属性を判定するためのプログラムからなる。すなわち、選曲者属性判定手段３７では、画像処理機能により、取得した顔画像データに基づいて、判定対象となる部分を抽出し、雑音を除去し、データ記述の変換等を行う。次に、比較判定機能により、画像処理後の顔画像データと、属性リファレンスデータ３４ｅとを用いて、所定のアルゴリズムに従って演算を行い、当該顔画像データを有する利用者の年齢や性別に関する属性を判定する。顔画像データに基づく属性の判定については、特許文献２として提示した特開２００８−２８２０８９号公報等に詳細に記載されている。
【００４２】
なお、選曲者属性判定手段３７における判定結果をそのまま利用するのではなく、カラオケリモコン装置２２の表示画面等において判定結果を利用者に提示し、利用者が確認処理を行った後に、正式な判定結果とすることにより、判定結果の信頼性を高めることができる。また、判定結果の訂正機能を持たせてもよい。なお、本実施形態では、選曲者属性判定手段３７がカラオケ本体２１に含まれているが、選曲者属性判定手段３７をカラオケリモコン装置２２に含ませてもよい。この場合には、属性リファレンスデータ３４ｅをカラオケリモコン装置２２に含ませることが好ましい。
【００４３】
＜予約管理手段＞
予約管理手段３８は、利用者により楽曲検索手段２２ａの機能を用いて選曲予約された楽曲ＩＤを演奏順に並べて予約待ち行列３３ａを生成し、この予約待ち行列３３ａをＲＡＭ３３に格納して管理するためのプログラムからなる。なお、本実施形態の予約待ち行列３３ａには、楽曲ＩＤに対して、選曲予約を行った利用者の属性データ、背景映像ＩＤ及び歌詞文字ＩＤが紐付けられている。また、後に詳述するが、予約待ち行列３３ａにおいて選曲予約を行った利用者の属性に応じた背景映像ＩＤ及び歌詞文字ＩＤが紐付けられている場合には、当該楽曲が演奏される際に、デフォルトの背景映像に代えて、選曲予約を行った利用者の属性に対応する背景映像及び歌詞文字が表示される。
【００４４】
＜音楽再生制御手段＞
音楽再生制御手段３９は、楽曲ＩＤに基づいて楽曲データベース３４ａから抽出された演奏データを利用して、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３９から送出される演奏音声信号とをミキシングすると共に、アンプ機能により増幅してスピーカ２３より出力させるための装置である。
【００４５】
＜映像再生制御手段＞
映像再生制御手段４０は、基本的には、カラオケ楽曲を演奏する際に、映像データベース３４ｂから抽出した当該カラオケ楽曲にデフォルト設定されている背景映像データと、演奏データに含まれる歌詞描出データに基づいて生成される歌詞文字とを、当該カラオケ楽曲の演奏データに同期させて表示装置２５に出力するためのプログラムからなる。なお、本実施形態の映像再生制御手段４０は、背景映像表示制御手段４０ａ及び歌詞文字表示制御手段４０ｂの機能を発揮するためのプログラムを含んでいる。背景映像表示制御手段４０ａ及び歌詞文字表示制御手段４０ｂは、予約待ち行列３３ａにおいて選曲予約を行った利用者の属性に基づく背景映像ＩＤや歌詞文字ＩＤが含まれている場合に機能する。
【００４６】
＜背景映像表示制御手段＞
背景映像表示制御手段４０ａは、任意の楽曲が演奏される際に、属性対応背景映像データベース３４ｃから、当該楽曲の楽曲ＩＤに紐付けされた利用者の属性に対応する背景映像データを取得して、当該楽曲の背景映像として表示させるためのプログラムからなる。すなわち、カラオケシステム１０では、予約管理手段３８の機能により、予約待ち行列３３ａに記述された楽曲の順序に従って演奏が行われるが、この際、属性対応背景映像データベース３４ｃから、当該楽曲ＩＤに紐付けされた利用者の属性に対応する背景映像データを取得し、デフォルトの背景映像に代えて、取得した背景映像データを背景映像として表示装置２５に表示させる。例えば、選曲者が高齢者の場合には、高齢者がよく知っている懐かしい背景映像を表示させ、選曲者が子供の場合には、子供の間で人気のあるキャラクタが登場する背景映像を表示させる。
【００４７】
＜歌詞文字表示制御手段＞
歌詞文字表示制御手段４０ｂは、任意の楽曲が演奏される際に、属性対応歌詞文字データベース３４ｄから、当該楽曲の楽曲ＩＤに紐付けされた利用者の属性に対応する歌詞文字データを取得して、当該演奏楽曲の歌詞テロップとして表示させるためのプログラムからなる。すなわち、上述したように、カラオケシステム１０では、予約管理手段３８の機能により、予約待ち行列３３ａに記述された楽曲の順序に従って演奏が行われるが、この際、属性対応歌詞文字データベース３４ｄから、当該楽曲ＩＤに紐付けされた利用者の属性に対応する歌詞文字データを取得し、デフォルトの歌詞文字に代えて、取得した歌詞文字データを歌詞テロップとして表示装置２５に表示させる。例えば、選曲者が高齢者の場合には、歌詞文字の大きさをデフォルトよりも大きく表示させ、選曲者が子供の場合には、難しい漢字をひらがなで表記した歌詞文字を表示させる。
【００４８】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケシステムを単体で動作させるのではなく、ホスト装置にネットワーク接続したカラオケ演奏端末として動作させてもよい。
【符号の説明】
【００４９】
１０    利用者属性対応カラオケシステム
２１    カラオケ本体
２２    カラオケリモコン装置
２２ａ  楽曲検索手段
２２ｂ  楽曲索引データベース
２２ｃ  選曲操作識別手段
２２ｄ  入出力表示部
２２ｅ  デジタルカメラ
２３  スピーカ
２４  マイクロホン
２５  表示装置
２６  ミキシングアンプ
３１  中央制御手段
３２  ＲＯＭ
３３  ＲＡＭ
３３ａ  予約待ち行列
３３ｂ  顔画像データ
３４    ＨＤＤ
３４ａ  楽曲データベース
３４ｂ  映像データベース
３４ｃ  属性対応背景映像データベース
３４ｄ  属性対応歌詞文字データベース
３４ｅ  属性リファレンスデータ
３５  送受信手段
３６  顔画像データ取得手段
３７  選曲者属性判定手段
３８  予約管理手段
３９  音楽再生制御手段
４０  映像再生制御手段
４０ａ  背景映像表示制御手段
４０ｂ  歌詞文字表示制御手段
５１  撮像レンズ
５２  撮像素子
【図１】
2012118286.tif 000003
【図２】
2012118286.tif 000004
【図３】
2012118286.tif 000005
【図４】
2012118286.tif 000006
【図５】
2012118286.tif 000007